(57)【特許請求の範囲】
【請求項１】
コアネットワークとアクセスネットワークと、端末とを有し、マルチキャストデータを配信するＭＢＭＳサービスを提供する移動通信システムであって、
前記コアネットワークは、ＩＰマルチキャストアドレスとＴＥＩＤと、を前記アクセスネットワークに送信し、
前記アクセスネットワークは、前記コアネットワークから送信された前記ＩＰマルチキャストアドレスと前記ＴＥＩＤとを受信し、前記マルチキャストデータを送信し、
前記端末は、前記アクセスネットワークから送信された前記マルチキャストデータを受信する、移動通信システム。
【請求項２】
前記コアネットワークは、前記ＩＰマルチキャストアドレスを、セッション開始メッセージに含めて送信する、請求項１に記載の移動通信システム。
【請求項３】
前記アクセスネットワークは基地局を有し、
前記基地局は、前記ＩＰマルチキャストアドレスを受信すると、マルチキャストグループに参加する、請求項１または２に記載の移動通信システム。
【請求項４】
前記基地局は、前記ＩＰマルチキャストアドレスをＩＰマルチキャストルータに送信する、請求項３に記載の移動通信システム。
【請求項５】
制御装置を有し、
前記コアネットワークは、前記制御装置を介して、前記ＩＰマルチキャストアドレスを前記基地局に送信する、請求項３または４に記載の移動通信システム。
【請求項６】
前記アクセスネットワークは、基地局を有し、
前記コアネットワークは、前記基地局に対して、前記ＩＰマルチキャストアドレスと前記ＴＥＩＤと、を送信し、
前記移動通信システムは、ＬＴＥの移動通信システムである、請求項１に記載の移動通信システム。
【請求項７】
前記コアネットワークは、ＱｏＳ情報を前記アクセスネットワークに送信する、請求項１または６に記載の移動通信システム。
【請求項８】
アクセスネットワークと端末とを有する移動通信システムに含まれ、マルチキャストデータを配信するＭＢＭＳサービスを提供するコアネットワークであって、
ＩＰマルチキャストアドレスと、ＴＥＩＤと、を前記アクセスネットワークに送信する送信部を有するコアネットワーク。
【請求項９】
制御装置を有し、
前記アクセスネットワークは基地局を有し、
前記送信部は、前記制御装置を介して、前記ＩＰマルチキャストアドレスと、ＴＥＩＤと、を前記基地局に送信する、請求項８に記載のコアネットワーク。
【請求項１０】
前記アクセスネットワークは、基地局を有し、
前記基地局に対して、前記ＩＰマルチキャストアドレスと前記ＴＥＩＤと、を送信し、
前記移動通信システムは、ＬＴＥの移動通信システムである、請求項８に記載のコアネットワーク。
【請求項１１】
ＱｏＳ情報を前記アクセスネットワークに送信する、請求項８または１０に記載のコアネットワーク。
【請求項１２】
コアネットワークと端末とを有する移動通信システムに含まれ、マルチキャストデータを配信するＭＢＭＳサービスを提供するアクセスネットワークであって、
ＩＰマルチキャストアドレスとＴＥＩＤとを前記コアネットワークから受信する第１の受信部と、
前記マルチキャストデータを前記コアネットワークから受信する第２の受信部と、
前記マルチキャストデータを端末に送信する送信部と、を有する、アクセスネットワーク。
【請求項１３】
前記第１の受信部は、制御装置を介して、前記ＩＰマルチキャストアドレスをコアネットワークから受信する、請求項１２に記載のアクセスネットワーク。
【請求項１４】
基地局を有し、
前記コアネットワークは、前記基地局に対して、前記ＩＰマルチキャストアドレスと前記ＴＥＩＤと、を送信し、
前記移動通信システムは、ＬＴＥの移動通信システムである、請求項１２に記載のアクセスネットワーク。
【請求項１５】
前記コアネットワークからのＱｏＳ情報を受信する請求項１２または１４に記載のアクセスネットワーク。
【請求項１６】
コアネットワークと、アクセスネットワークと、端末とを有し、マルチキャストデータを配信するＭＢＭＳサービスを提供する移動通信システムのマルチキャストデータ配信方法であって、
ＩＰマルチキャストアドレスと、ＴＥＩＤと、を前記コアネットワークから送信し、
前記アクセスネットワークを介して、前記マルチキャストデータを前記端末に送信する、移動通信システムのマルチキャストデータ配信方法。
【請求項１７】
前記コアネットワークは、前記ＩＰマルチキャストアドレスを、セッション開始メッセージに含めて送信する、請求項１５に記載の移動通信システムのマルチキャストデータ配信方法。
【請求項１８】
前記アクセスネットワークは基地局を有し、
前記コアネットワークは、制御装置を介して、前記ＩＰマルチキャストアドレスと、ＴＥＩＤと、を前記基地局に送信する、請求項１５または１６に記載の移動通信システムのマルチキャストデータ配信方法。
【請求項１９】
前記アクセスネットワークは、基地局を有し、
前記コアネットワークは、前記基地局に対して、前記ＩＰマルチキャストアドレスと前記ＴＥＩＤと、を送信し、
前記移動通信システムは、ＬＴＥの移動通信システムである、請求項１５に記載の移動通信システムのマルチキャストデータ配信方法。
【請求項２０】
前記コアネットワークは、ＱｏＳ情報を前記アクセスネットワークに送信する、請求項１５または１８に記載の移動通信システムのマルチキャストデータ配信方法。
【請求項２１】
アクセスネットワークと端末とを有する移動通信システムに含まれ、マルチキャストデータを配信するＭＢＭＳサービスを提供するコアネットワークのマルチキャストデータ配信方法であって、
ＩＰマルチキャストアドレスと、ＴＥＩＤと、を前記アクセスネットワークに送信するコアネットワークのマルチキャストデータ配信方法。
【請求項２２】
前記アクセスネットワークは基地局を有し、
前記コアネットワークは、制御装置を介して、前記ＩＰマルチキャストアドレスと、ＴＥＩＤと、を前記基地局に送信する、請求項２０に記載のコアネットワークのマルチキャストデータ配信方法。
【請求項２３】
前記アクセスネットワークは、基地局を有し、
前記コアネットワークは、前記基地局に対して、前記ＩＰマルチキャストアドレスと前記ＴＥＩＤと、を送信し、
前記移動通信システムは、ＬＴＥの移動通信システムである、請求項２０に記載のコアネットワークのマルチキャストデータ配信方法。
【請求項２４】
前記コアネットワークは、ＱｏＳ情報を前記アクセスネットワークに送信する、請求項２０または２２に記載のコアネットワークのマルチキャストデータ配信方法。
【請求項２５】
コアネットワークと端末とを有する移動通信システムに含まれ、マルチキャストデータを配信するＭＢＭＳサービスを提供するアクセスネットワークのマルチキャストデータ配信方法であって、
コアネットワークから、ＩＰマルチキャストアドレスとＴＥＩＤとを受信し、
前記マルチキャストデータを前記コアネットワークから受信し、
前記マルチキャストデータを端末に送信する、アクセスネットワークのマルチキャストデータ配信方法。
【請求項２６】
前記アクセスネットワークは基地局を有し、
前記基地局は、制御装置を介して、前記ＩＰマルチキャストアドレスとＴＥＩＤとを前記コアネットワークから受信する、請求項２４に記載のアクセスネットワークのマルチキャストデータ配信方法。
【請求項２７】
前記アクセスネットワークは、基地局を有し、
前記コアネットワークは、前記基地局に対して、前記ＩＰマルチキャストアドレスと前記ＴＥＩＤと、を送信し、
前記移動通信システムは、ＬＴＥの移動通信システムである、請求項２４に記載のアクセスネットワークのマルチキャストデータ配信方法。
【請求項２８】
前記コアネットワークは、ＱｏＳ情報を前記アクセスネットワークに送信する、請求項２４または２６に記載のアクセスネットワークのマルチキャストデータ配信方法。
【請求項２９】
コアネットワークとアクセスネットワークとを有する移動通信システムに含まれ、マルチキャストデータを配信するＭＢＭＳサービスを提供する移動通信システムにおける端末であって、
ＩＰマルチキャストアドレスと、ＴＥＩＤと、前記ＩＰマルチキャストアドレスと前記ＴＥＩＤとに基づいて送信される前記マルチキャストデータと、を前記コアネットワークから受信する前記アクセスネットワークと通信する手段と、
前記アクセスネットワークから送信される前記マルチキャストデータを受信する手段と、を有する端末。
【請求項３０】
前記アクセスネットワークは、基地局を有し、
前記コアネットワークは、前記基地局に対して、前記ＩＰマルチキャストアドレスと前記ＴＥＩＤと、を送信し、
前記移動通信システムは、ＬＴＥの移動通信システムである、請求項２８に記載の端末。
【請求項３１】
前記コアネットワークは、ＱｏＳ情報を前記アクセスネットワークに送信する、請求項２８または２９に記載の端末。
【発明の詳細な説明】
【技術分野】
【０００１】
本発明は、複数の端末へデータのマルチキャストが可能な移動通信システムに関する。
【背景技術】
【０００２】
現在、３ＧＰＰでは、３ＧＰＰ−ＬＴＥ（Ｌｏｎｇ Ｔｅｒｍ Ｅｖｏｌｕｔｉｏｎ）として次世代移動体通信システムの検討がなされている。３ＧＰＰ−ＬＴＥでは、ＣＮ（Ｃｏｒｅ Ｎｅｔｗｏｒｋ）とＵＴＲＡＮ（ＵＭＴＳ Ｔｅｒｒｅｓｔｒｉａｌ Ｒａｄｉｏ Ａｃｃｅｓｓ Ｎｅｔｗｏｒｋ）の間がＩＰネットワークで接続される。データ転送ではＣＮとＵＴＲＡＮの間にトンネルが設定される。ＩＰネットワーク上のユーザデータはトンネルの識別情報によって識別される。これにより例えばＣＮからのデータを適切な端末（ＵＥ）に転送することが可能となる。
【０００３】
トンネルの識別情報には、通常、ＴＥＩＤ（Ｔｕｎｎｅｌ Ｅｎｄｐｏｉｎｔ Ｉｄｅｎｔｉｆｉｅｒ）が用いられる。ＴＥＩＤはトンネルの設定の際に割り当てられる。ＴＥＩＤの割り当てはＣＮおよびＵＴＲＡＮでそれぞれ行なわれ、それらのＴＥＩＤがＲＡＢ（Ｒａｄｉｏ Ａｃｃｅｓｓ Ｂｅａｒｅｒ）の設定時にＣＮとＵＴＲＡＮの間で相互に交換される。下りリンクのデータ転送に用いられるＴＥＩＤはＵＴＲＡＮが設定してＣＮに通知し、上りリンクのデータ転送に用いられるＴＥＩＤはＣＮが設定してＵＴＲＡＲＮに通知する。
【０００４】
実際のデータの転送にはＧＴＰ（ＧＰＲＳ Ｔｕｎｎｅｌ Ｐｒｏｔｏｃｏｌ）が用いられる。実際のデータを転送するパケット（データパケット）にはＧＴＰのＵ−Ｐｌａｎｅ（Ｕｓｅｒ Ｐｌａｎｅ）であるＧＴＰ−Ｕのヘッダが付与される。図１は、ＧＴＰ−Ｕのヘッダの構成例を示す図である。図１を参照すると、ＧＴＰ−Ｕのヘッダに４オクテットのＴＥＩＤが設定されている。
【０００５】
送信側装置はＴＥＩＤをＧＴＰ−Ｕのヘッダに設定したデータパケットを送出する。受信側装置は、受信したデータパケットのＴＥＩＤによってユーザデータを識別する。例えば、下りデータであれば、ＣＮは、ＧＴＰ−ＵのヘッダにＴＥＩＤを設定したデータパケットを送信する。ＵＴＲＡＮは、受信したデータパケットのＧＴＰ−Ｕのヘッダに設定されたＴＥＩＤを参照してユーザ（ＵＥ）を識別し、そのＵＥに対応する無線チャネルへデータをマッピングする。
【０００６】
３ＧＰＰ−ＬＴＥでは、複数のＵＥに同じデータをマルチキャストするＭＢＭＳ（Ｍｕｌｔｉｍｅｄｉａ Ｂｒｏａｄｃａｓｔ／Ｍｕｌｔｉｃａｓｔ Ｓｅｒｖｉｃｅ）が行なわれる（「特開２００４−１３５２６０号公報」、「３ＧＰＰ ＴＳ２５．４１３ Ｖ７．４．０ （２００６−１２）， 'ＵＴＲＡＮ Ｉｕ ｉｎｔｅｒｆａｃｅ ＲＡＮＡＰ ｓｉｇｎａｌｌｉｎｇ （Ｒｅｌｅａｓｅ ７）'」、「３ＧＰＰ ＴＳ２５．４１４ Ｖ７．１．０ （２００６−０９）， 'ＵＴＲＡＮ Ｉｕ ｉｎｔｅｒｆａｃｅ ｄａｔａ ｔｒａｎｓｐｏｒｔ ＆ ｔｒａｎｓｐｏｒｔ ｓｉｇｎａｌｉｎｇ （Ｒｅｌｅａｓｅ ７）'」参照）。ＭＢＭＳでは、通常のデータ通信と異なり、下りリンクでのみデータが転送される。上述したように下りリンクのＴＥＩＤはＵＴＲＡＮが設定してＣＮに通知するので、ＭＢＭＳではＴＥＩＤの設定はＵＴＲＡＮでのみ行なわれ、ＣＮでは行なわれない。ＣＮは、通知されたＴＥＩＤを用いてデータを送信するだけである。
【発明の開示】
【０００７】
図２は、移動通信システムの構成を示すブロック図である。図２を参照すると、ＣＮのノード（ＣＮ Ｎｏｄｅ）は、複数の制御装置（ＲＮＣ：Ｒａｄｉｏ Ｎｅｔｗｏｒｋ Ｃｏｎｔｒｏｌｌｅｒ）と接続している。そして、各ＲＮＣは複数のＮｏｄｅＢをそれぞれに収容している。ＲＮＣとＮｏｄｅＢによって、ＵＴＲＡＮのような無線アクセスネットワーク（ＲＡＮ：Ｒａｄｉｏ Ａｃｃｅｓｓ Ｎｅｔｗｏｒｋ）が構成されている。
【０００８】
ＭＢＭＳのサービス展開においては全エリアの基地局でサービスを提供できるようするのが好ましい。例えば、Ｍｏｂｉｌｅ ＴＶのサービスは全国で均一に展開されることが好ましい。その場合、ＣＮから全てのエリアのＮｏｄｅＢに対してＭＢＭＳのデータをマルチキャストできることが要求される。
【０００９】
上述したように、下りリンクのＴＥＩＤはＲＡＮからＣＮに指定される。各ＲＡＮは相互に連携することなく独自にＴＥＩＤを設定するので、各ＲＡＮによって設定されるＴＥＩＤは互いに異なる値である。それ故、ＣＮには、１つのＭＢＭＳに対して複数のＴＥＩＤを管理し、それらのＴＥＩＤを用いてデータをマルチキャストするという複雑な処理が要求される。また、１つのＭＢＭＳに対して複数のＴＥＩＤを管理するので、ＭＢＭＳのために必要とされるメモリ容量が大きくなる。図２の例では、ＣＮは１つのＭＢＭＳに対して複数のＲＮＣから通知されたＴＥＩＤを管理する必要がある。
【００１０】
また、３ＧＰＰ−ＬＴＥでは複数のＮｏｄｅＢを束ねて収容する制御装置がＵＴＲＡＮに存在しないのでＣＮはＩＰネットワークを介してＮｏｄｅＢと直接対向する。図３は、３ＧＰＰ−ＬＴＥの移動通信システムの構成を示すブロック図である。図３を参照すると、３ＧＰＰ−ＬＴＥではＣＮがＮｏｄｅＢと直接対向している。
【００１１】
図４は、３ＧＰＰ−ＬＴＥのＣＮにおけるＴＥＩＤの管理状態を示す図である。図４に示すように、ＣＮは、各ＮｏｄｅＢで設定されたＴＥＩＤをＮｏｄｅＢ ＩＤと対応付けて管理している。そして、ＣＮは、ＮｏｄｅＢに対応するＴＥＩＤを検索して取得し、データの転送に用いる。このような３ＧＰＰ−ＬＴＥの構成では、ＣＮで管理すべきＴＥＩＤの数は、ＵＴＲＡＮ内で複数のＮｏｄｅＢを束ねる制御装置が下りリンクのＴＥＩＤを設定する図２の構成と比べて更に多くなる。
【００１２】
この場合、ＣＮがＴＥＩＤを保持するために確保しなければならないメモリ量は（１つのＴＥＩＤの長さ）×（ＮｏｄｅＢ数）である。例えばＴＥＩＤの長さが４バイトであり、ＮｏｄｅＢ数が１万個であるとすると、ＣＮはＭＢＭＳの１つのサービスに対して４０Ｋバイトのメモリを確保しておく必要がある。更に、同時に提供できるサービスの数を１０とすると、ＣＮは、ＴＥＩＤを管理するために４００Ｋバイトのメモリを確保しておく必要がある。
【００１３】
本発明の目的は、コアネットワークで管理するマルチキャストデータ通信に用いる識別情報のデータ量を削減した移動通信システムを提供することである。
【００１４】
上記目的を達成するために、本発明の一態様による移動通信システムは、コアネットワークとアクセスネットワークと、端末とを有し、マルチキャストデータを配信するＭＢＭＳサービスを提供する移動通信システムであって、
前記コアネットワークは、ＩＰマルチキャストアドレスとＴＥＩＤと、を前記アクセスネットワークに送信し、
前記アクセスネットワークは、前記コアネットワークから送信された前記ＩＰマルチキャストアドレスと前記ＴＥＩＤとを受信し、前記マルチキャストデータを送信し、
前記端末は、前記アクセスネットワークから送信された前記マルチキャストデータを受信する。
【００１５】
本発明の一態様によるコアネットワークは、アクセスネットワークと端末とを有する移動通信システムに含まれ、マルチキャストデータを配信するＭＢＭＳサービスを提供するコアネットワークであって、
ＩＰマルチキャストアドレスと、ＴＥＩＤと、を前記アクセスネットワークに送信する送信部を有する。
【００１６】
本発明の一態様によるアクセスネットワークは、コアネットワークと端末とを有する移動通信システムに含まれ、マルチキャストデータを配信するＭＢＭＳサービスを提供するアクセスネットワークであって、
ＩＰマルチキャストアドレスとＴＥＩＤとを前記コアネットワークから受信する第１の受信部と、
前記マルチキャストデータを前記コアネットワークから受信する第２の受信部と、
前記マルチキャストデータを端末に送信する送信部と、を有する。
【００１７】
本発明の一態様による移動通信システムのマルチキャストデータ配信方法は、コアネットワークと、アクセスネットワークと、端末とを有し、マルチキャストデータを配信するＭＢＭＳサービスを提供する移動通信システムのマルチキャストデータ配信方法であって、
ＩＰマルチキャストアドレスと、ＴＥＩＤと、を前記コアネットワークから送信し、
前記アクセスネットワークを介して、前記マルチキャストデータを前記端末に送信する。
【００１８】
本発明の一態様によるコアネットワークのマルチキャストデータ配信方法は、アクセスネットワークと端末とを有する移動通信システムに含まれ、マルチキャストデータを配信するＭＢＭＳサービスを提供するコアネットワークのマルチキャストデータ配信方法であって、
ＩＰマルチキャストアドレスと、ＴＥＩＤと、を前記アクセスネットワークに送信する。
【００１９】
本発明の一態様によるアクセスネットワークのマルチキャストデータ配信方法は、コアネットワークと端末とを有する移動通信システムに含まれ、マルチキャストデータを配信するＭＢＭＳサービスを提供するアクセスネットワークのマルチキャストデータ配信方法であって、
コアネットワークから、ＩＰマルチキャストアドレスとＴＥＩＤとを受信し、
前記マルチキャストデータを前記コアネットワークから受信し、
前記マルチキャストデータを端末に送信する。
【００２１】
本発明の一態様による端末は、コアネットワークとアクセスネットワークとを有する移動通信システムに含まれ、マルチキャストデータを配信するＭＢＭＳサービスを提供する移動通信システムにおける端末であって、
ＩＰマルチキャストアドレスと、ＴＥＩＤと、前記ＩＰマルチキャストアドレスと前記ＴＥＩＤとに基づいて送信される前記マルチキャストデータと、を前記コアネットワークから受信する前記アクセスネットワークと通信する手段と、
前記アクセスネットワークから送信される前記マルチキャストデータを受信する手段と、を有する。
【図面の簡単な説明】
【００２２】
【図１】ＧＴＰ−Ｕのヘッダの構成例を示す図である。
【図２】移動通信システムの構成を示すブロック図である。
【図３】３ＧＰＰ−ＬＴＥの移動通信システムの構成を示すブロック図である。
【図４】３ＧＰＰ−ＬＴＥのＣＮにおけるＴＥＩＤの管理状態を示す図である。
【図５】第１の実施形態による移動通信システムの構成を示すブロック図である。
【図６】第１の実施形態のコアネットワークノードの構成を示すブロック図である。
【図７】第１の実施形態の基地局装置の構成を示すブロック図である。
【図８】第１の実施形態の端末の構成を示すブロック図である。
【図９】第１の実施形態の移動通信システムによるＭＢＭＳデータ通信の動作を示すシーケンス図である。
【図１０】セッション開始メッセージの構成例を示す図である。
【図１１】ＧＴＰ−Ｕのヘッダの構成例を示す図である。
【図１２】第２の実施形態の移動通信システムによるＭＢＭＳデータ通信の動作を示すシーケンス図である。
【図１３】第３の実施形態の移動通信システムによるＭＢＭＳデータ通信の動作を示すシーケンス図である。
【発明を実施するための最良の形態】
【００２３】
本発明を実施するための形態について図面を参照して詳細に説明する。
【００２４】
（第１の実施形態）
図５は、第１の実施形態による移動通信システムの構成を示すブロック図である。ここでは３ＧＰＰ−ＬＴＥ移動通信システムの例が示されている。図５を参照すると、移動通信システムは、コアネットワークノード（ＣＮ Ｎｏｄｅ）１１、基地局装置（ｅＮｏｄｅＢ）１２、および端末（ＵＥ）１３を有している。コアネットワークノード１１と基地局装置１２とはＩＰネットワーク１４を介して接続されている。
【００２５】
コアネットワークノード１１は、コアネットワークを構成する装置であり、端末１３のＭＢＭＳへの参加（ｊｏｉｎ）を処理した後、各基地局装置１２とのセッション確立においてトンネルを設定し、そのトンネルによってＭＢＭＳのデータを配信する。なお、コアネットワークは他にＡＳＧＷ（Ａｃｃｅｓｓ Ｇａｔｅｗａｙ）、Ａｃｃｅｓｓ Ａｎｃｈｏｒ、ＥＰＣ（Ｅｖｏｌｖｅｄ Ｐａｃｋｅｔ Ｃｏｒｅ）などと言われることもある。
【００２６】
基地局装置１２は、アクセスネットワークであるＵＴＲＡＮを構成する基地局装置（ｅＮｏｄｅＢ）であり、コアネットワークノード１１とのセッション確立においてトンネルを設定するとともに、端末１３との無線チャネルを設定する。その後、基地局装置１２は、コアネットワークノード１１から配信されたデータを受信し、無線チャネルにマッピングして端末１３へ配信する。
【００２７】
端末１３は、コアネットワークノード１１との間でＭＢＭＳへの参加の処理を行った後、コアネットワークノード１１から基地局装置１２を介して配信されたデータを受信する。
【００２８】
ＭＢＭＳデータのパケットはコアネットワークノード１１から基地局装置１２への下りリンクでのみ転送されるので、コアネットワークノード１１と基地局装置１２は下りのトンネルだけを設定する。本実施形態のトンネル設定においては、コアネットワークノード１１が、トンネルを識別するためのトンネル識別子（トンネルＩＤ）を設定して基地局装置１２に通知する。コアネットワークノード１１は、１つのＭＢＭＳのサービスに対して１つのトンネルＩＤを決めて各基地局装置１２へ通知する。トンネルＩＤはコアネットワークノード１１が決めるのでコアネットワークノード１１毎には異なるが、同じコアネットワーク１１に接続する全ての基地局装置１２で共通である。
【００２９】
そしてデータ配信時には、コアネットワークノード１１は、トンネルＩＤを付与したＭＢＭＳデータのパケットをＩＰネットワーク１４に送信する。基地局装置１２は、ＩＰネットワーク１４から受信したパケットから、コアネットワークノード１１から通知されたトンネルＩＤを用いてＭＢＭＳデータのパケットを識別する。
【００３０】
図６は、第１の実施形態のコアネットワークノードの構成を示すブロック図である。図６を参照すると、コアネットワークノード１１は、参加処理部２１、セッション制御部２２、記憶部２３、およびデータ配信部２４を有している。
【００３１】
参加処理部２１は、端末１３のＭＢＭＳへの参加（ｊｏｉｎ）の処理を行う。参加の処理において、参加処理部２１はＭＢＭＳのサービスを識別するためのサービス識別子（サービスＩＤ）を端末１３に通知する。
【００３２】
セッション制御部２２は、基地局装置１２との間でＭＢＭＳのセッション確立の処理を行う。このセッション確立の処理において、セッション制御部２２は、各基地局装置１２に共通のトンネルＩＤを設定して記憶部２３に格納するとともに各基地局装置１２に通知する。
【００３３】
記憶部２３は、セッション制御部２２によって設定された各ＭＢＭＳのトンネルＩＤを記憶する。
【００３４】
データ配信部２４は、ＭＢＭＳデータのパケットを生成し、そのパケットに、記憶部２３に記憶されているＭＢＭＳのトンネルＩＤを付与してＩＰネットワーク１４に送信する。
【００３５】
図７は、第１の実施形態の基地局装置の構成を示すブロック図である。図７を参照すると、基地局装置１２は、マッピング制御部３１、記憶部３２、およびデータ処理部３３を有している。
【００３６】
マッピング制御部３１は、コアネットワークノード１１との間でＭＢＭＳのセッション確立の処理を行うとともに、無線チャネルの割り当て処理を行う。セッション確立処理において、コアネットワークノード１１との間のトンネルのトンネルＩＤはコアネットワークノード１１から通知される。また、マッピング制御部３１は、無線チャネルの割り当て処理において、ＭＢＭＳに割り当てた無線チャネルの情報を端末１３に通知する。
【００３７】
また、マッピング制御部３１は、ＭＢＭＳセッションの確立処理で通知されたトンネルＩＤと、無線チャネルの割り当て処理で割り当てた無線チャネルとのマッピング情報を記憶部３２に格納する。
【００３８】
記憶部３２は、マッピング制御部３１によって設定されたマッピング情報を記憶する。
【００３９】
データ処理部３３は、ＩＰネットワーク１４から受信したパケットのトンネルＩＤを参照してＭＢＭＳのデータパケットを識別し、記憶部３２に記憶されているマッピング情報を参照して対応する無線チャネルを判定する。そして、データ処理部３３は、ＭＢＭＳデータを無線チャネルにマッピングして端末１３に送信する。
【００４０】
図８は、第１の実施形態の端末の構成を示すブロック図である。図８を参照すると、端末１３は参加処理部４１およびデータ受信部４２を有している。
【００４１】
参加処理部４１は、コアネットワークノード１１との間でＭＢＭＳへの参加（ｊｏｉｎ）の処理を行う。参加処理部４１は、コアネットワークノード１１から通知された、ＭＢＭＳのサービスを識別するためのサービスＩＤを取得する。
【００４２】
データ受信部４２は、基地局装置１２によってＭＢＭＳに割り当てられた無線チャネルの情報の通知を受け、その後にその無線チャネルで基地局装置１２から送信されたＭＢＭＳデータを受信する。
【００４３】
図９は、第１の実施形態の移動通信システムによるＭＢＭＳデータ通信の動作を示すシーケンス図である。ここでは、コアネットワークノード１１と基地局装置１２の間のＳ１インタフェース上の制御プロトコルをｅＲＡＮＡＰ（Ｒａｄｉｏ Ａｃｃｅｓｓ Ｎｅｔｗｏｒｋ Ａｐｐｌｉｃａｔｉｏｎ Ｐａｒｔ）と呼ぶことにする。ｅＲＡＮＡＰはコネクション型での制御メッセージを送受信するプロトコルであるとする。
【００４４】
図９を参照すると、端末１３とコアネットワークノード１１とは、端末１３のＭＢＭＳへの参加の処理を行う（ステップ１０１）。この処理によって端末１３はＭＢＭＳに参加することができる。参加によって端末１３はＭＢＭＳデータを受信できるようになる。
【００４５】
次に、コアネットワークノード１１は、基地局装置１２にｅＲＡＮＡＰのＭＢＭＳセッション開始（ＭＢＭＳ Ｓｅｓｓｉｏｎ Ｓｔａｒｔ）メッセージを送る（ステップ１０２）。ＭＢＭＳセッション開始メッセージには、サービスＩＤであるＴＭＧＩ（Ｔｅｍｐｏｒａｒｙ Ｍｏｂｉｌｅ Ｇｒｏｕｐ Ｉｄｅｎｔｉｔｙ）、コアネットワークノード１１が決めたトンネルＩＤであるＴＥＩＤ（Ｔｕｎｎｅｌ Ｅｎｄｐｏｉｎｔ Ｉｄｅｎｔｉｆｉｅｒ）、およびＱｏＳ（Ｑｕａｌｉｔｙ ｏｆ Ｓｅｒｖｉｃｅ）情報が含まれている。ＴＥＩＤの値はコアネットワークノード１１が決めたものである。ＱｏＳ情報によってＭＢＭＳのサービスのビットレートなどが指定される。
【００４６】
図１０は、セッション開始メッセージの構成例を示す図である。図１０のメッセージに含まれている「ＴＭＧＩ」情報要素としてＴＭＧＩが入り、「ＱｏＳ Ｌａｂｅｌ」情報要素としてＱｏＳが入り、「Ｉｕ Ｔｒａｎｓｐｏｒｔ Ａｓｓｏｃｉａｔｉｏｎ」情報要素としてＴＥＩＤが入る。これらは本例のセッション開始メッセージにおいて必須（Ｐｒｅｓｅｎｃｅ＝Ｍ（Ｍａｎｄａｔｏｒｙ））の情報要素である。なお図１０において、オプションの情報要素はＰｒｅｓｅｎｃｅ＝Ｏ（Ｏｐｔｉｏｎ）と示されている。
【００４７】
ＭＢＭＳセッション開始メッセージを受信した基地局装置１２は、そのメッセージに含まれているＴＥＩＤを記憶する（ステップ１０３）。例えば、ＴＥＩＤは、ＭＢＭＳセッション開始メッセージに、Ｓ１インタフェース上の転送の関連付けを示す（Ｓ１ Ｔｒａｎｓｐｏｒｔ Ａｓｓｏｃｉａｔｉｏｎ）情報要素として記載されてもよい。その場合、基地局装置１２は、ＭＢＭＳセッション開始メッセージからその情報要素を取得して記憶し、ＭＢＭＳセッションが継続している間その情報要素を保持する。また、基地局装置１２はＱｏＳも記憶する。
【００４８】
続いて、基地局装置１２は、ＱｏＳ情報に従って無線チャネルの割り当て処理を行う（ステップ１０４）。この無線チャネルの割り当て処理によって、基地局装置１２は無線チャネルを捕捉し、ＴＥＩＤと無線チャネルとのマッピング情報を設定する。さらに、基地局装置１２は、ＭＢＭＳ無線チャネル指示（ＭＢＭＳ Ｒａｄｉｏ Ｃｈａｎｎｅｌ ｉｎｄｉｃａｔｉｏｎ）メッセージで無線チャネルを端末１３に通知する（ステップ１０５）。
【００４９】
マッピングが設定され、ＭＢＭＳの無線アクセスベアラの設定が完了すると、基地局装置１１は、コアネットワークノード１１にＭＢＭＳセッション開始応答（ＭＢＭＳ Ｓｅｓｓｉｏｎ Ｓｔａｒｔ Ｒｅｓｐｏｎｓｅ）メッセージを送って設定が完了したことを通知する（ステップ１０６）。ＭＢＭＳセッション開始応答メッセージには、基地局装置１２が割り当てたＩＰアドレスが、トランスポートレイヤアドレス（Ｔｒａｎｓｐｏｒｔ Ａｄｄｒｅｓｓ）として含まれる。
【００５０】
なお、ここでは基地局装置１１が無線チャネルを捕捉した後にコアネットワークノード１１にＭＢＭＳセッション開始応答メッセージを送る（ステップ１０６）という手順を例示したが、本発明はこれに限定されるものではない。他の例として、基地局装置１１は、ステップ１０２にてＭＢＭＳセッション開始メッセージを受信すると、まずコアネットワークノード１１にＭＢＭＳセッション開始応答メッセージを送り、それから無線チャネルを捕捉するという手順を採ってもよい。
【００５１】
ＭＢＭＳのセッションが確立した後、コアネットワークノード１１は、不図示のＭＢＭＳサーバからＭＢＭＳデータを取得し（ステップ１０７）、ＴＥＩＤを付与したＭＢＭＳデータを基地局装置１２に配信する（ステップ１０８）。ＴＥＩＤは、ＭＢＭＳデータのパケットのＧＴＰ−Ｕのヘッダに記載される。
【００５２】
ＭＢＭＳデータを転送するベアラ（ｔｒａｎｓｐｏｒｔ ｂｅａｒｅｒ ｆｏｒ ＭＢＭＳ）は、ＧＴＰ−Ｕのヘッダに記載されているＴＥＩＤと、ＩＰアドレスとによって識別することができる。ＩＰアドレスは基地局装置１２によって割り当てられるが、ＴＥＩＤはコアネットワークノード１１によって割り当てられる。
【００５３】
基地局装置１２は、ＭＢＭＳデータを受信し、ＧＴＰ−Ｕのヘッダに記載されているＴＥＩＤによってマッピング情報を参照してトンネルを識別し、マッピング情報に従ってＭＢＭＳデータを端末１３への無線チャネルにマッピングする（ステップ１０９）。これにより基地局装置１２から端末１３へＭＢＭＳデータが無線で送信される。端末１３は、無線チャネルからＭＢＭＳデータを受信する。
【００５４】
以上説明したように、本実施形態によれば、ＭＢＭＳデータを転送するトンネルのトンネルＩＤをコアネットワークノード１１が１つのサービスに対して１つ決めて各基地局装置１２に通知するので、コアネットワークノード１１は、マルチキャストのために基地局装置１２毎に異なるトンネルＩＤを管理する必要が無くなり、処理が容易になりメモリ容量が低減される。
【００５５】
なお、本実施形態では、コアネットワークノード１１と基地局装置１２がＩＰネットワーク１４を介して直接対向する３ＧＰＰ−ＬＴＥ移動通信システムの例を示したが、本発明はこれに限定されるものではない。他の例として、コアネットワークノードと基地局装置の間に、複数の基地局装置を束ねる制御装置が存在する構成の移動通信システムであってもよい。このようにアクセスネットワークが制御装置と基地局装置を有する場合には、コアネットワークノードは決定したトンネルＩＤを制御装置に通知することにしてよく、また制御装置を介して基地局装置に通知することにしてもよい。
【００５６】
（第２の実施形態）
第１の実施形態ではコアネットワークノードがトンネルＩＤを決定したが、第２の実施形態では、ＭＢＭＳのサービスに固有の値をとるサービスＩＤをトンネルＩＤとして用いる。これにより第２の実施形態ではコアネットワークノードがトンネルＩＤを決定する処理が不要となる。
【００５７】
ただし、ＭＢＭＳでない通常のデータを転送するためのトンネルのトンネルＩＤは従来通りコアネットワークノードと基地局装置がそれぞれに決定して交換する。それ故、サービスＩＤによって固定的に決まる、ＭＢＭＳデータを転送するためのトンネルのトンネルＩＤと、ＭＢＭＳでないデータを転送するためのトンネルのトンネルＩＤとの重複を防止するのが好ましい。そこで、本実施形態では、ＭＢＭＳデータか否かを示す指示情報がパケットに付加される。これによりトンネルＩＤの重複による処理の不都合が解消される。
【００５８】
一例として、トンネルＩＤの所定の１ビットをＭＢＭＳデータか否かの指示情報に用いればよい。具体例として、図１に示したＧＴＰ−ＵのヘッダのＴＥＩＤの第１オクテットの第８ビットが"１"であればＭＢＭＳデータであり、"０"であればＭＢＭＳデータでないと規定すればよい。
【００５９】
また、他の例として、トンネルＩＤの他に、ＭＢＭＳデータか否かを表示する情報要素を付加すればよい。具体例として、図１１に示すようにＧＴＰ−ＵのヘッダのＴＥＩＤの前にＭＢＭＳ指示（ＭＢＭＳ Ｉｎｄｉｃａｔｏｒ）の情報要素を付加すればよい。
【００６０】
第２の実施形態による移動通信システムは図５に示した第１の実施形態のものと同様の構成である。また、コアネットワークノード１１、基地局装置１２、および端末１３も図６、７、および８に示した第１の実施形態のものと同様の構成である。
【００６１】
本実施形態では、第１の実施形態と異なり、コアネットワークノード１１は、自身でトンネルＩＤを決定するのではなく、ＭＢＭＳのサービスを示すサービスＩＤをトンネルＩＤとして用い、基地局装置１２に通知する。そして、コアネットワークノード１１は、ＭＢＭＳデータを配信するとき、ＭＢＭＳデータのパケットにトンネルＩＤ（＝サービスＩＤ）とＭＢＭＳ指示情報とを付加する。
【００６２】
基地局装置１２は、コアネットワークノード１１から通知されたトンネルＩＤを保持しておき、配信されたＭＢＭＳデータのパケットを、トンネルＩＤとＭＢＭＳ指示情報とで識別する。
【００６３】
図１２は、第２の実施形態の移動通信システムによるＭＢＭＳデータ通信の動作を示すシーケンス図である。ここでは主に第２の実施形態が第１の実施形態と異なる部分について説明する。
【００６４】
図１２を参照すると、本実施形態では、ステップ１０１に続くステップ１０２'として、コアネットワークノード１１は、基地局装置１２にｅＲＡＮＡＰのＭＢＭＳセッション開始メッセージを送る。このＭＢＭＳセッション開始メッセージには、一例として、ＴＭＧＩ、ＴＥＩＤ、およびＱｏＳ情報が含まれており、ＴＥＩＤにはＴＭＧＩがそのまま用いられている。また、他の例としてＭＢＭＳセッション開始メッセージにＴＥＩＤのフィールドが無くてもよい。その場合、基地局装置１２はＴＭＧＩをＴＥＩＤとして取得すればよい。
【００６５】
ＭＢＭＳセッション開始メッセージを受信した基地局装置１２は、ステップ１０３において、そのメッセージに含まれている、ＴＥＩＤ（＝ＴＭＧＩ）、ＱｏＳ、および他のセッション属性情報を取得し、保持する。例えばＱｏＳは、ＭＢＭＳセッション開始メッセージに、無線アクセスベアラのパラメータ（ＲＡＢ Ｐａｒａｍｅｔｅｒ）の情報要素もしくはＱｏＳ Ｌａｖｅｌの情報要素として含まれる。本実施形態では、ＴＭＧＩは、ＭＢＭＳのサービスを個別に識別するＴＭＧＩ識別子としての意味を持ち、かつトランスポートレイヤの関連付けをするＴＥＩＤとしての意味も持つこととなる。
【００６６】
また、ステップ１０６にてＭＢＭＳのセッションの確立が完了すると、コアネットワークノード１１は、ＧＴＰ−ＵのヘッダにＴＥＩＤ（＝ＴＭＧＩ）とＭＢＭＳ指示情報とを付与したＭＢＭＳデータのパケットを基地局装置１２に配信する（ステップ１０８'）。
【００６７】
ＭＢＭＳデータを転送するベアラ（ｔｒａｎｓｐｏｒｔ ｂｅａｒｅｒ ｆｏｒ ＭＢＭＳ）は、ＧＴＰ−Ｕのヘッダに記載されているＴＥＩＤと、ＩＰアドレスとによって識別することができる。ＩＰアドレスは基地局装置１２によって割り当てられるが、ＴＥＩＤはＴＭＧＩと等しい値である。
【００６８】
基地局装置１２は、ＭＢＭＳ指示情報の付与されたＭＢＭＳデータを受信し、ＧＴＰ−Ｕのヘッダに記載されているＴＥＩＤによってマッピング情報を参照してトンネルを識別し、マッピング情報に従ってＭＢＭＳデータを端末１３への無線チャネルにマッピングする（ステップ１０９'）。
【００６９】
以上説明したように、本実施形態によれば、コアネットワークノード１１は、ＭＢＭＳデータを転送するトンネルのトンネルＩＤとして、ＭＢＭＳのサービスを識別するためのサービスＩＤを各基地局装置１２に通知するので、コアネットワークノード１１は、マルチキャストのために基地局装置１２毎に異なるトンネルＩＤを管理する必要が無くなり、処理が容易になりメモリ容量が低減される。また、基地局装置１２とコアネットワークノード１１のどちらもトンネルＩＤを決定する処理を行う必要が無い。
【００７０】
（第３の実施形態）
第１および第２の実施形態では、ＭＢＭＳデータをコアネットワークノード１１からＧＴＰ−ＵのヘッダにＴＥＩＤを記載したパケットにより配信したが、第３の実施形態では、コアネットワークノード１１からＭＢＭＳデータをＩＰマルチキャストで配信する。
【００７１】
そのために、第３の実施形態では、コアネットワークノード１１は、セッション確立の際にＩＰマルチキャストアドレスを基地局装置１２に通知する。基地局装置１２は、そのＩＰマルチキャストアドレスで示されるＩＰマルチキャストグループに参加（ｊｏｉｎ）する。ＩＰマルチキャストグループに参加した基地局装置１２にはＩＰネットワーク１４内のＩＰマルチキャストルータによってＭＢＭＳデータのパケットが配信される。
【００７２】
第３の実施形態による移動通信システムは図５に示した第１の実施形態のものと同様の構成である。本実施形態では、ＩＰマルチキャストによってＭＢＭＳデータを配信するので、ＩＰネットワーク１４内にＩＰマルチキャストルータがある必要がある。また、コアネットワークノード１１、基地局装置１２、および端末１３も図６、７、および８に示した第１の実施形態のものと同様の構成である。
【００７３】
本実施形態では、第１の実施形態と異なり、コアネットワークノード１１は、ＭＢＭＳデータの配信に用いるＩＰマルチキャストアドレスを決定し、基地局装置１２に通知する。そして、コアネットワークノード１１は、ＭＢＭＳデータを配信するとき、ＭＢＭＳデータのパケットにＩＰマルチアドレスを付加する。ＩＰマルチアドレスの付加されたＭＢＭＳデータのパケットは、ＩＰネットワーク１４内でＩＰマルチキャストルータによって、ＩＰマルチキャストグループに参加している各基地局装置１２に配信される。
【００７４】
基地局装置１２は、コアネットワークノード１１から通知されたＩＰマルチキャストアドレスで指定されたＩＰマルチキャストグループに参加し、ＩＰマルチキャストルータからのＭＢＭＳデータのパケットの配信を受ける。
【００７５】
図１３は、第３の実施形態の移動通信システムによるＭＢＭＳデータ通信の動作を示すシーケンス図である。ここでは主に第３の実施形態が第１、第２の実施形態と異なる部分について説明する。
【００７６】
図１３を参照すると、本実施形態では、ステップ１０１に続くステップ１０２''として、コアネットワークノード１１は、基地局装置１２にｅＲＡＮＡＰのＭＢＭＳセッション開始メッセージを送る。このＭＢＭＳセッション開始メッセージには、ＴＭＧＩ、ＩＰマルチキャストアドレス、およびＱｏＳ情報が含まれている。
【００７７】
ＭＢＭＳセッション開始メッセージを受信した基地局装置１２は、ステップ１０３''において、そのメッセージに含まれている、ＩＰマルチキャストアドレス、ＱｏＳ、および他のセッション属性情報を取得し、保持する。また、基地局装置１２は、Ｓ１インタフェース上のトランスポートレイヤのアドレスであるＩＰアドレスを記憶し、ＭＢＭＳセッションが継続している間保持する。
【００７８】
続いて、基地局装置１２は、ＱｏＳ情報に従って無線チャネルを捕捉するともに（ステップ１０４ａ''）、ＩＰマルチキャストグループに参加（ｊｏｉｎ）して（ステップ１０４ｂ''）、ＭＢＭＳデータのＩＰアドレスと無線チャネルとのマッピング情報を設定する。ＩＰマルチキャストグループへのｊｏｉｎには例えばＩＥＴＦ（Ｉｎｔｅｒｎｅｔ Ｅｎｇｉｎｅｅｒ Ｔａｓｋ Ｆｏｒｃｅｓ）のＲＦＣ２２３６に規定された手順を用いればよい。
【００７９】
続いて、基地局装置１２は、ＭＢＭＳ無線チャネル指示（ＭＢＭＳ Ｒａｄｉｏ Ｃｈａｎｎｅｌ ｉｎｄｉｃａｔｉｏｎ）メッセージで無線チャネルを端末１３に通知し（ステップ１０５）、コアネットワークノード１１にＭＢＭＳセッション開始応答（ＭＢＭＳ Ｓｅｓｓｉｏｎ Ｓｔａｒｔ Ｒｅｓｐｏｎｓｅ）メッセージを送って設定が完了したことを通知する（ステップ１０６）。
【００８０】
ＭＢＭＳデータを転送するベアラ（ｔｒａｎｓｐｏｒｔ ｂｅａｒｅｒ ｆｏｒ ＭＢＭＳ）は、ＩＰマルチキャストアドレスによって識別することができる。
【００８１】
ＭＢＭＳのセッションが確立した後、コアネットワークノード１１は、不図示のＭＢＭＳサーバからＭＢＭＳデータを取得し（ステップ１０７）、ＩＰマルチキャストアドレスを付与したＭＢＭＳデータをＩＰネットワーク１４に送信する（ステップ１０８ａ''）。ＩＰネットワーク１４内のＩＰマルチキャストルータ１４Ａは、ＩＰマルチキャストグループに参加している基地局装置１２にＭＢＭＳデータを配信する（ステップ１０８ｂ''）。
【００８２】
基地局装置１２は、ＩＰマルチキャストルータ１４Ａで配信されたＭＢＭＳデータをＩＰアドレスで識別して受信し、マッピング情報に従ってＭＢＭＳデータを端末１３への無線チャネルにマッピングする（ステップ１０９''）。ＭＢＭＳデータの転送にはＧＴＰ−Ｕが用いられ、ＧＴＰ−ＵのヘッダにＴＥＩＤのフィールドが必須であれば、ＭＢＭＳデータのパケットにはＴＥＩＤのフィールドを設けておき、更にＩＰマルチキャストアドレスのフィールドを設ければよい。例えば、図１１に示したＧＴＰ−ＵのヘッダにＩＰマルチキャストアドレスのフィールドを追加すればよい。しかし、本実施形態ではＭＢＭＳデータのパケットの転送にＴＥＩＤを用いないのでＴＥＩＤは本来不要である。そこで例えば送信側ではＴＥＩＤのフィールドに固定値を設定し、受信側ではＴＥＩＤのフィールドの内容を無視すればよい。本実施形態では、基地局装置１２は、コアネットワークノード１１によってＧＴＰ−Ｕのヘッダに何らかのＴＥＩＤが設定されているか否かと関係なく、ＭＢＭＳデータのパケットのＧＴＰ−ＵのヘッダにあるＴＥＩＤのフィールドを無視するとする。
【００８３】
以上説明したように、本実施形態によれば、ＭＢＭＳデータを転送するためのＩＰマルチキャストアドレスをコアネットワークノード１１から各基地局装置１２に通知し、基地局装置１２はそのＩＰマルチキャストアドレスで指定されたＩＰマルチキャストグループに参加するので、コアネットワークノード１１は、マルチキャストのために基地局装置１２毎に異なるトンネルＩＤを管理する必要が無くなり、処理が容易になりメモリ容量が低減される。
【００８４】
以上、実施形態を参照して本発明を説明したが、本発明は実施形態に限定されるものではない。請求項に定義された本発明の構成や詳細には、発明のスコープ内で当業者が理解し得る様々な変更をすることができる。
【００８５】
この出願は、２００７年１月３０日に出願された日本出願特願２００７−１９０７１を基礎として優先権の利益を主張するものであり、その開示の全てを引用によってここに取り込む。
【図１】
0005246318.tif 000002
【図２】
0005246318.tif 000003
【図３】
0005246318.tif 000004
【図４】
0005246318.tif 000005
【図５】
0005246318.tif 000006
【図６】
0005246318.tif 000007
【図７】
0005246318.tif 000008
【図８】
0005246318.tif 000009
【図９】
0005246318.tif 000010
【図１０】
0005246318.tif 000011
【図１１】
0005246318.tif 000012
【図１２】
0005246318.tif 000013
【図１３】
0005246318.tif 000014